(57)【要約】【課題】通信装置の通勤時間機能を動作する装置及び方法を提供する。【解決手段】通勤時間機能は、事象に基づいて自動的にアクチベートされ、次いで、ｉ）通勤情報に基づいて最新の通勤時間を決定し、及びii）その最新の通勤時間を装置に表示するか又は話すことにより、遂行される。カレンダー事象の発生により、又はその前にトリガーされる一実施形態では、装置は、現在通勤時間を含む。この実施形態では、装置は、ユーザが誰と会うかの連絡先へ、カレンダー事象の変更を指示する更新を送信することにより、現在通勤時間に基づいてカレンダー事象をスケジュールし直す。他の実施形態についても説明する。【選択図】図４
2015079499.tif 000002
【特許請求の範囲】
【請求項１】
通勤時間機能を有する電子装置を動作するためのマシン実施方法において、
ユーザによって与えられる出発アドレス及び行先アドレスを含む通勤情報を受け取って記憶するステップと、
時刻エントリー及び曜日エントリーを含む事象についてユーザを促し、その事象を前記記憶された通勤情報に関連付けるステップと、
前記事象に基づき前記通勤時間機能を自動的にアクチベートし、次いで、ａ）前記記憶された通勤情報に基づいて最新の通勤時間を決定し、及びｂ）その最新の通勤時間を表示するか又は話すことにより、前記通勤時間機能を遂行するステップと、
を備えた方法。
【請求項２】
前記通勤時間が特定時間より長い場合には、ユーザにより以前にセットされたアラームウェイクアップ時間を調整するステップを更に備えた、請求項１に記載の方法。
【請求項３】
前記通勤時間が特定時間より長い場合には第１の音楽選択を、又は前記通勤時間が特定時間より短い場合には第２の異なる音楽選択を、選択するステップを更に備えた、請求項１に記載の方法。
【請求項４】
前記通勤時間に基づいて第三者装置のアクチベーション時間を調節するステップを更に備え、その第三者装置は、コーヒーマシン、アラームクロック、及び電子カレンダー、のうちの１つである、請求項１に記載の方法。
【請求項５】
電子カレンダーのアクチベーション時間を調整するステップは、
その電子カレンダーに記憶されたスケジュールされたミーティングをスケジュールし直すことを含み、そのスケジュールされたミーティングは、選択人を含み、更に、
前記スケジュールし直しに関して前記選択人に警告することを含む、
請求項４に記載の方法。
【請求項６】
ある数のニュースフィードをダウンロードするステップを更に備え、そのニュースフィードの数は、前記通勤時間に基づく、請求項１に記載の方法。
【請求項７】
ニュースフィード及び／又は歌のプレイリストの収集体をダウンロードするステップを更に備え、そのニュースフィード及び／又は歌のプレイリストの収集体の時間巾は、前記通勤時間にほぼ等しいか又はそれより長い、請求項１に記載の方法。
【請求項８】
前記特定時間は、ユーザにより手動でセットされる、請求項２に記載の方法。
【請求項９】
前記特定時間は、前記通勤時間の記憶されたインスタンスの履歴に基づいて自動的に計算される、請求項２に記載の方法。
【請求項１０】
前記事象は、スケジュールに基づいて繰り返すようにユーザによりセットされるルーチン事象である、請求項１に記載の方法。
【請求項１１】
通勤時間を決定する前記ステップは、
前記通勤情報をウェブサイト又はインターネットアクセス可能なサービスへ送信して、それが前記通信情報に対する現在又は最新の交通状態に基づき最新の通勤時間を計算するようにさせ、
前記ウェブサイト又はインターネットアクセス可能なサービスから前記最新の通勤時間を受け取る、
ことを含む請求項１に記載の方法。
【請求項１２】
通信ネットワークインターフェイスと、
ユーザインターフェイスと、
プログラムされた処理回路と、
を備え、前記プログラムされた処理回路は、
ユーザインターフェイスを通して、及び装置のユーザからの触覚及び／又は口頭入力を経て、通勤情報を取得するためのマップモジュール、
ユーザのカレンダーを管理し、そしてユーザインターフェイスを通して、及びユーザからの触覚及び／又は口頭入力を経て、通勤情報に関連したカレンダー事象を取得するためのカレンダーモジュール、
通勤情報に基づき及びネットワークインターフェイスを通して得た現在トラフィック状態に基づき、現在通勤時間を得ると共に、視覚及び／又は口頭出力を経てその現在通勤時間を提示するようにユーザインターフェイスにシグナリングするための通勤時間モジュール、及び
カレンダー事象の発生前にそれに基づいて前記通勤時間モジュールをアクチベートするための通勤時間アクチベータ、
を具現化するものである、電子装置。
【請求項１３】
前記通勤時間モジュールは、インターネットを経て輸送情報サービスプロバイダーへ通勤情報を送信し、そしてそのサービスプロバイダーから現在通勤時間を受け取る、請求項１２に記載の装置。
【請求項１４】
前記ユーザインターフェイスは、クリックすると、前記通勤時間モジュールをアクチベートするアイコンを表示する、請求項１２に記載の装置。
【請求項１５】
前記カレンダー事象は、時刻、日付、及びミーティングの場所を含む、請求項１２に記載の装置。
【請求項１６】
前記通勤情報は、ユーザにより与えられる出発アドレス及び行先アドレスを含む、請求項１２に記載の装置。
【請求項１７】
前記カレンダー事象は、時刻エントリーと、曜日を特定するエントリーとを含む、請求項１２に記載の装置。
【請求項１８】
前記カレンダー事象は、ユーザが誰に会うかの連絡先を識別し、
前記プログラムされた処理回路は、更に、前記カレンダー事象の変更を指示する更新を前記連絡先へ送信させることにより、現在通勤時間に基づいて前記カレンダー事象をスケジュールし直すためのカレンダー事象レスケジューラーを具現化する、請求項１２に記載の装置。
【請求項１９】
前記プログラムされた処理回路は、更に、前記装置に記憶されたサウンドファイルを再生するためのデジタルメディアプレーヤを具現化し、
前記通勤時間モジュールは、通勤時間が特定時間より長い場合には、プレーヤにより再生するための第１の音楽選択を、又は通勤時間が特定時間より短い場合には、第２の異なる音楽選択を、選択する、請求項１２に記載の装置。
【請求項２０】
前記プログラムされた処理回路は、更に、アラームクロックを具現化し、
前記通勤時間モジュールは、ユーザにより以前にセットされたアラームクロックのアラームウェイクアップ時間を、通勤時間が特定時間より長い場合には、より早い時間へ調整する、請求項１２に記載の装置。
【請求項２１】
前記通勤時間モジュールは、１つ以上のニュースフィードをダウンロードし、その数又は合計聴取時間は、前記通勤時間に基づく、請求項１２に記載の装置。
【発明の詳細な説明】
【技術分野】
【０００１】
本発明の実施形態は、ポータブル音声通信装置における通勤時間機能の動作に係る。他の実施形態についても説明する。
【背景技術】
【０００２】
大都市エリアでは、交通渋滞が大きな問題となり続けている。テキサス・トランスポーテーション・インスティテュートは、２００５年に、ロスアンジェルス地域でピーク時間中に移動者が経験した年間遅延が７２時間であり、その遅延の４６％が車の事故及び建設工事を含む出来事により生じたものであると報告している。その結果、自由に流れる状態ではなく渋滞状態において走行するための燃料消費の増加は、２００５年にピーク移動者当たり５７ガロンである。
【０００３】
交通渋滞の主な寄与因子は、移動者が毎日の通勤に乗り出す前に交通状態が適切に通知されないことである。運転者は、主として、交通状態の情報としてはラジオ及びテレビの報告に依存している。これら慣習的な情報源の主な欠点は、（ｉ）事故や故障した乗物による交通渋滞の報告が遅れること、及び（ii）運転者に関係のないルートでの交通状態が報告されることを含む。
【発明の概要】
【発明が解決しようとする課題】
【０００４】
今日、通勤者は、最新の交通情報及び推定通勤時間を得るためにインターネットに頼ることもできる。インターネット上の多数のウェブサイト（例えば、ｗｗｗ．ＳｉｇＡｌｅｒｔ．ｃｏｍ）は、ユーザが、移動速度、事故の場所及び時刻を含めて、フリーウェイの現在交通状態を見ることができるようにする。他のウェブサイト（例えば、ＧｏｏｇｌｅＭａｐ）は、選択されたルートの推定通勤時間をユーザに与える。
【課題を解決するための手段】
【０００５】
ポータブル音声通信装置（又は「移動装置」）の通勤時間機能を動作する方法及び装置について説明する。
【０００６】
一実施形態では、移動装置の通勤時間機能は、最新の通勤時間を指示するために自動的にアクチベートされ、遂行される。この実施形態では、移動装置の通勤時間機能を動作するための方法は、ユーザにより与えられる出発アドレス及び行先アドレスを含む通勤情報を受け取って記憶することにより、開始される。次いで、ユーザは、その記憶された通勤情報に関連した時刻エントリー及び曜日エントリーを含む事象について促される。通勤時間機能は、その事象に基づいて、又はその事象の発生前に、自動的にアクチベートされ、次いで、通勤時間機能は、ａ）通勤情報に基づいて最新の通勤時間を決定し、そして任意であるが、ｂ）事象の発生前に、最新の通勤時間を前記通勤情報と一緒に装置に表示し又は話すことにより、遂行される。
【０００７】
通勤時間機能が自動的にアクチベートされる時点は、ユーザにより手動でセットすることができる。例えば、事象が、オフィスへの通勤に関連した「睡眠から覚める」アラームであり、そしてオフィスへの通勤が、１時間±１５分の範囲内である場合に、ユーザは、通勤時間機能のアクチベーション時間を、そのような事象の１５分前にセットすることを望む。通勤時間の変化がより長い場合は、通勤時間機能のアクチベーション時間を比例的により早くセットすることができる。一実施形態では、通勤時間の決定は、通勤情報をウェブサイト又はインターネットアクセス可能なサービスへ送信し、そこで、通勤情報に対する現在又は最新のトラフィック状態に基づいて最新の通勤時間を計算することを含む。次いで、ウェブサイト又はインターネットアクセス可能なサービスから最新の通勤時間を受け取ることができる。
【０００８】
ある実施形態では、移動装置の他のアプリケーションが最新の通勤時間によって影響を受ける。例えば、通勤時間が、ユーザにより手動でセットされた予想時間、又は通勤時間の記憶されたインスタンスの履歴に基づき自動的に計算された予想時間より長い場合は、ユーザが通勤に対して出発を準備するための時間が短いか、又は通勤時間がより長いことを反映するために、アプリケーションに対して調整を行うことができる。例えば、以前にセットされたアラームウェイクアップ時間を、より早い時間に調整したり、アラームウェイクアップ時間に、より大きな音楽選択を再生したり、或いは（より長い通勤中にユーザが経験する）より多数のニュースフィードを移動装置にダウンロードすることができる。一実施形態では、選択される音楽プレイリスト、又はダウンロードされるニュースフィードの数を、通勤時間に対応するようにタイミング合わせすることができ、例えば、プレイリスト又はダウンロードされるニュースフィードの全長（時間に関する）を、通勤時間に比例したものとすることができる。
【０００９】
一実施形態では、通勤時間に基づいて、コーヒーマシン、アラーム及び電子カレンダーのような第三者装置のアクチベーション時間を調整することができる。例えば、より長い通勤時間が報告されて、移動時間の増加を補償するためにユーザがより早い時間に目覚める必要がある場合には、コーヒーマシンも、より早い時間に煎れ始めるようにアクチベートすることができる。
【００１０】
一実施形態では、装置のユーザインターフェイスは、通勤に関連したカレンダー事象の前に現在通勤時間を、視覚及び／又は口頭出力を経て提示し、ユーザが事象の場所に遅れないように保証することができる。別の実施形態では、ユーザによって以前にセットされて、ユーザが会うべき人との連絡先を識別するカレンダー事象は、変更を指示又は要求するための連絡先の更新をそのカレンダー事象へ送信することにより、通勤時間に基づいてスケジュールし直すことができる。カレンダー事象は、ミーティングの時刻、日付、及び場所を含む。一実施形態では、ユーザが現在通勤時間を得られるようにする「ワン・クリック」アイコンもユーザインターフェイスに表示することができる。
【００１１】
以上の概要は、本発明のあらゆる態様を余すところのなく述べたものではない。本発明は、上述した種々の態様、以下の詳細な説明に述べる態様、及び特許請求の範囲に指摘された態様の全ての適当な組み合わせから実施できる全てのシステム及び方法を包含することが意図される。このような組み合わせは、以上の概要に特に述べない特定の効果を発揮することができる。
【００１２】
本発明の実施形態は、同様の要素が同じ参照番号で示された添付図面に一例として示すが、それに限定されない。この開示において、本発明の「一」実施形態、又は「１つの」実施形態とは、必ずしも同じ実施形態ではなく、少なくとも１つを意味することに注意されたい。
【図面の簡単な説明】
【００１３】
【図１】本発明の一実施形態が具現化される規範的移動装置の斜視図である。
【図２】規範的移動装置のブロック図である。
【図３】移動装置の通勤時間機能を動作する方法の１つの実施形態のフローチャートである。
【図４】通勤時間機能をサポートする電子装置の１つの実施形態のブロック図である。
【発明を実施するための形態】
【００１４】
以下の説明では、多数の特定の細部について述べる。しかしながら、本発明の実施形態は、これらの特定の細部がなくても実施できることを理解されたい。他の点については、この説明の理解を不明瞭にしないために、良く知られた回路、構造及び技術は、示していない。
【００１５】
以下の説明は、３つの部分に分けられる。パートＩは、本発明の一実施形態が具現化される移動通信装置の簡単な概略である。パートIIは、移動装置の通勤時間機能を動作する方法について述べる。パートIIIは、通勤時間機能を具現化できる更に別の装置について述べる。
【００１６】
Ｉ．移動通信装置の概略
図１は、本発明の一実施形態が具現化される規範的移動通信装置１０を示す。この装置１０は、ベゼル１４を有するハウジング１２を備えている。ベゼル１４は、装置１０の前面にディスプレイスクリーン１６を保持するのに使用される。ディスプレイスクリーン１６は、タッチスクリーンも含む。装置１０は、１つ以上の物理的ボタン及び／又はバーチャルボタンも（タッチスクリーン上に）含む。ディスプレイスクリーン１６は、通勤時間を視覚出力として表示するのに使用される。１つの実施形態では、ボタン１９は、ユーザにより操作されたときに、例えば、ｉＰｈｏｎｅ（登録商標）装置により遂行されるように、装置のグラフィックユーザインターフェイスをそのホームメニュー又はメインメニューへもって行く物理的ボタンである。ホームメニューは、通勤時間機能の起動アイコンを含む。
【００１７】
又、装置１０は、ポート及びジャックのような入力／出力コンポーネントも含む。例えば、開口２２は、マイクロホンポートを形成し、そして開口２４は、スピーカポートを形成する。電話コール中の音は、コール中にユーザの耳の付近に配置される電話レシーバのためのスピーカポートを形成する開口２３を通して放出される。例えば、口頭出力を経て通勤時間が提示されるときには、開口２３及び２４がスピーカポートとして使用される。
【００１８】
図２は、本発明の一実施形態が具現化される規範的移動装置のブロック図である。しかしながら、本発明の全ての実施形態が、図２に示す全アーキテクチャーを要求するのではないことに注意されたい。図２に示すように、装置１０は、入力／出力装置３８、処理回路３６、及び記憶装置３４を含む。
【００１９】
入力／出力装置３８は、装置１０がデータを受け取ると共にデータを供給できるようにする。１つの実施形態では、入力／出力装置３８は、ユーザ入力／出力装置４０、ディスプレイ・オーディオ装置４２、及びワイヤレス通信装置４４を含む。
【００２０】
ユーザ入力／出力装置４０を使用して、ユーザは、装置１０の動作を制御するためのコマンドを供給することができる。１つの実施形態では、ユーザ入力／出力装置４０は、ディスプレイスクリーン１６、ボタン１９、マイクロホンポート２２、スピーカホン又はスピーカポート２４、及びイヤホンスピーカポート２３（イヤレシーバポートに接近して使用される）を含む。
【００２１】
入力／出力装置３８は、ディスプレイ・オーディオ装置４２を含む。ディスプレイ・オーディオ装置４２は、外部装置のためのジャック及び他のコネクタのようなオーディオ／ビデオインターフェイス装置を含む。
【００２２】
又、入力／出力装置３８は、高周波（ＲＦ）トランシーバ回路、アンテナ、等の通信回路を有するワイヤレス通信装置４４も含む。１つの実施形態では、マイクロホンポート２２、スピーカポート２３及び２４は、ユーザがワイヤレス電話又はビデオコールに参加できるようにするために通信回路に結合することができる。ワイヤレス通信装置４４では、種々の異なるワイヤレス通信ネットワーク及びプロトコルをサポートすることができる。これらは、現在の２Ｇ、３Ｇ及び４Ｇネットワーク及びそれに関連したコール及びデータプロトコルを含むセルラー移動電話ネットワーク（例えば、移動通信用のグローバルシステムＧＳＭ(登録商標)ネットワーク）と、ワイヤレスボイスオーバーインターネットプロトコル（ＶＯＩＰ）コーリングもサポートするＩＥＥＥ８０２．１１データネットワーク（ＷｉＦｉ又はワイヤレスローカルエリアネットワークＷＬＡＮ）とを含む。
【００２３】
装置１０に含まれる処理回路３６は、マイクロプロセッサ、マイクロコントローラ、デジタル信号プロセッサ、又は中央処理ユニットのようなプロセッサと、グルーロジックのような他の必要とされた集積回路とを含む。「プロセッサ」という語は、２つ以上の処理ユニット又は要素を有する装置、例えば、複数の処理コアを伴うＣＰＵを指す。処理回路３６は、記憶装置３４に記憶されたソフトウェアインストラクション又はコードを実行することにより装置１０の動作を制御するのに使用される。記憶装置３４は、ハードディスクドライブ記憶装置、不揮発性メモリ、及び揮発性メモリ、例えば、ダイナミックランダムアクセスメモリ、等の１つ以上の異なる形式の記憶装置を含む。あるケースでは、以下に述べる特定の機能は、プロセッサの異なるハードウェアユニットにより実行される記憶装置３４内のソフトウェアの２つ以上の断片として具現化することができる。
【００２４】
処理回路３６（又は単にプロセッサ）は、以下に述べる通勤時間機能を遂行するために通勤時間モジュール（記憶装置３４内の）によってプログラムすることができる。又、これは、カレンダー事象レスケジューラー（これも、記憶装置３４内のソフトウェアによりプログラムされる）として働くこともできる。それに加えて、装置１０のワイヤレス通信機能を使用して、出呼びを開始し及び／又はショートメッセージサービスＳＭＳのテキストメッセージを送信すると共に、インターネットを経てリモートサーバーとのＴＣＰ／ＩＰ接続を（ワイヤレスリンクを経て）確立する。このようなワイヤレス通信は、例えば、カレンダー事象を再スケジューリングしそして最後の又は最新の通勤時間を取得することに関して装置のユーザの連絡先に警告するのに使用される。
【００２５】
１つの実施形態では、処理回路３６は、以下に述べるように、通勤情報を含むデータ及び通勤情報に関連した事象を受け取り、そしてそのデータの分析を遂行する。例えば、そのデータは、人為的インテリジェントプロセスにより、又はここに述べる他の仕方で分析される。その分析の結果として、処理回路３６は、通勤時間機能を自動的にアクチベートさせる。「自動的」という語は、変更又は変化した結果に向けられるユーザ入力又はアクションを受け取ることなく何かが変更され、変化され又はセットされるような原因と結果の関係を記述する。あるケースでは、「自動的」という語は、受け取ったユーザ設定又は選択に基づいて二次的な結果であるか又は一次的な結果に加えてのものである結果を記述する。
【００２６】
装置１０は、経路５０及び５１で示すように、アクセサリ４６、コンピューティング装置４８及びワイヤレスネットワーク４９のような外部装置と通信することができる。経路５０は、ワイヤード及びワイヤレス経路を含み、一方、経路５１は、ワイヤレス経路である。アクセサリ４６は、ヘッドホン（例えば、ワイヤレスセルラーヘッドセット又はオーディオヘッドホン）を含む。ワイヤレスネットワーク４９は、セルラー電話ベースステーション、セルラータワー、ワイヤレスデータネットワーク、ワイヤレスネットワークに関連したコンピュータ、等を含む。
【００２７】
パートII：通勤時間機能を動作する方法
本発明の実施形態は、通常、フローチャート、フローダイヤグラム、構造図、又はブロック図として示されるプロセスとして以下に説明する。フローチャートは、オペレーションを順次プロセスとして記述するが、多数のオペレーションを並列に又は同時に遂行することができる。更に、オペレーションの順序を整頓し直すことができる。プロセスは、そのオペレーションが完了したときに終了となる。プロセスは、方法、プログラム、手順、等に対応する。
【００２８】
移動装置の通勤時間機能を動作するための方法３００の一実施形態のフローチャートが図３に示されている。
【００２９】
方法３００は、ユーザにより与えられた通勤情報を受け取って記憶することにより開始する（ブロック３０１）。通勤時間情報は、出発ストリートアドレス及び行先ストリートアドレスを含む。例えば、ユーザは、自分の家のアドレスを出発アドレスとして入力し、自分の職場のアドレスを行先アドレスとして入力する。
【００３０】
ブロック３０２において、ユーザは、記憶された通勤情報に関連した事象について促される。例えば、この事象は、月曜日午前７：００として入力される。この事象は、時刻エントリー及び曜日エントリーを含み、任意であるが、記述エントリーも含む（ブロック３０２）。１つの実施形態では、事象は、スケジュールに基づいて繰り返すためにユーザによりセットされるルーチン事象である。例えば、ユーザは、事象が月曜日から金曜日まで午前７：００に繰り返されるように「メインオフィス、平日、午前７：００」として事象をセットする。
【００３１】
ブロック３０３において、通勤時間機能は、事象に基づいて自動的にアクチベートされ、次いで、通勤時間機能が遂行される（ブロック３０３）。自動的アクチベーションは、次のようにセットされる。「メインオフィス、平日、午前７：００」の事象を一例として考える。この事象に対する関連通勤は、ユーザの家からメインオフィスまでのトリップである。この通勤は、平均で約１時間の範囲にあると仮定する。ユーザがオフィスへの出発までに準備に約４５分かかる場合には、ユーザは、通勤時間機能に対する自動アクチベーション時間を平日に午前５：００にセットすることを希望する。
【００３２】
ブロック３０３において通勤時間機能を遂行することは、記憶された通勤情報に基づき最新の通勤時間を決定することを含む（ブロック３０３ａ）。１つの実施形態では、以前に記憶された通勤情報を、インターネットを経て輸送情報サービスプロバイダーに送出することにより通勤時間が決定される。例えば、通勤情報は、ウェブサイト又はインターネットアクセス可能なサービスへ送られ、そこで、所与の通勤情報に対して現在又は最新の交通状態に基づいて最新又は現在の通勤時間が計算される。最新の通勤時間は、次いで、ウェブサイト又はインターネットアクセス可能なサービスから装置１０により受け取られる。この実施形態では、通勤時間機能を遂行することは、装置に最新の通勤時間を表示し又は話すことも含む（ブロック３０３ｂ）。従って、前記例を使用すると、午前５：００に始まって、移動装置は、ユーザの家のアドレス及び職場のアドレス、又は通勤の他の識別、並びにこの通勤に対する最新の通勤時間を、ディスプレイスクリーン１６に表示し、及び／又はスピーカポート２４を経て話す。ブロック３０３ｂは、近づきつつある通勤に関してユーザを更新状態に保つために、例えば、５分ごとに、又は他の適当なインターバルで、繰り返される。
【００３３】
ある実施形態では、得られた最新の通勤時間に基づいて、移動装置における他のアプリケーションの機能を変更することができる。例えば、通勤時間が、ユーザにより手動でセットされた予想時間、又は通勤時間の記憶されたインスタンスの履歴に基づいて自動的に計算された予想時間より長い場合には、ユーザが通勤に対して出発を準備するための時間が短いか、又は通勤時間がより長いことを反映するために、アプリケーションに対して調整を行うことができる。上述した例では、午前５：００にチェックされた現在通勤時間が通常より１５分長い場合には、午前７：００のターゲット時間までにオフィスに到着するための付加的な時間をユーザに与えるように、以前に午前５：１５にセットされたアラームウェイクアップ時間を午前５：０５のより早い時間に調整することができる。
【００３４】
１つの実施形態では、ユーザにより以前にセットされた時間に再生されるべき音楽を、通勤時間が指定時間より長いか短いかに基づいて選択することができる。再生されるべき音楽又は歌の形式は、仕事の準備をするためにユーザが目覚める必要のある緊急性を反映する。例えば、クラシックのシンフォニーは、通勤時間が指定時間より短いことを指示するために以前にセットされたアラームウェイクアップ時間に再生され、一方、パンクバンドによる歌は、より長い通勤時間が待ち受けていることを指示するために再生される。
【００３５】
１つの実施形態では、移動装置へダウンロードされるニュースフィードの数も、報告された通勤時間に基づいて調整することができる。装置は、通勤時間に対応する数のニュースフィードを移動装置へダウンロードすることができる。例えば、通勤時間が更に１５分必要とすると決定された場合には、装置は、より長い通勤時間中にユーザが経験するべく１つ以上の付加的なニュースフィードをダウンロードすることができる。
【００３６】
１つの実施形態では、再生されるべく選択された１つ以上の歌の収集体（プレイリスト）及び／又はダウンロードされるニュースフィードの数が、通勤時間に対応するようにタイミング合わせされる。プレイリスト又はダウンロードされるニュースフィードの、時間に関する全長は、通勤時間に比例するようにされる。例えば、プレイリスト又はダウンロードされるニュースフィードの時間巾は、ほぼ通勤時間以上である。この時間巾が通勤時間にほぼ等しい場合には、ユーザが行先アドレスに到着したときに、プレイリストの最後の歌、又は再生されるべき最後のニュースフィードが終了となる。
【００３７】
ある実施形態では、第三者装置のアクチベーション時間を通勤時間に基づいて調整することができる。例えば、第三者装置は、以前にセットされたアクチベーション時間が午前７：３０であるアラームクロックである。上述したように、通勤時間が午前７：００にチェックされ、そして１５分長いことが決定された場合には、ユーザにその行先へ通勤するための余計な時間を与えるために、アラームクロックのウェイクアップ時間を１５分早くするように調整することができる。同様に、第三者装置は、煎れ始める時間が装置１０により自動的にシグナリングされ、１５分早くなるように調整されて、早い時間にコーヒーの準備をするコーヒーマシンである。
【００３８】
１つの実施形態では、第三者装置は、電子カレンダーでもよい。電子カレンダーのアクチベーション時間を調整することは、電子カレンダーに記憶されたスケジュールされたミーティングを現在通勤時間に基づいてスケジュールし直し、そしてそのスケジュールされたミーティングに含まれた人々にスケジュールし直しを警告することを含む。
【００３９】
パートIII：通勤時間機能を動作するための一般化された装置
図４は、通勤時間機能を具現化できる一般化された電子装置の一実施形態のブロック図である。装置４００は、ユーザインターフェイス４０１、通信ネットワークインターフェイス４０２、及びプログラムされた処理回路４０３を備えている。装置４００は、ハンドヘルド式の移動装置である必要がなく、例えば、デスクトップ又はラップトップパーソナルコンピュータでよい。
【００４０】
ユーザインターフェイス４０１は、ディスプレイ（例えば、タッチ感知スクリーンを含む）、スピーカ、マイクロホン、キーボード及びマウス（触覚入力装置）のようなユーザ入力装置、並びにそれに関連したインターフェイス回路及びソフトウェアを備えている。通信ネットワークインターフェイス４０２は、ローカルエリアネットワークインターフェイスコントローラ又はアダプタ或いはセルラーネットワークベースバンドプロセッサ、並びにそれに関連したインターフェイス回路及びソフトウェア（例えば、ＴＣＰ／ＩＰソフトウェアスタック）を備えている。例えば、ユーザインターフェイス４０１は、内蔵のタッチ感知スクリーン及びそれに関連したジェスチャー検出ソフトウェアを伴うディスプレイスクリーン１６を備えている。プログラムされた処理回路４０３は、装置４００のオペレーションを制御するのに使用される。プログラムされた処理回路４０３は、装置内の記憶装置のソフトウェアを実行するプロセッサを備え、これは、例えば、マップモジュール４０４、カレンダーモジュール４０５、通勤時間モジュール４０６、及び通勤時間アクチベータ４０７を含む。
【００４１】
ユーザインターフェイス４０１を通して、マップモジュール４０４は、（実行時に）ユーザから通勤情報を取得し、そして例えば、出発アドレス及び終了アドレスを示すストリートマップの形態でユーザへ通勤情報を戻すように表示する。マップモジュール４０４は、装置４００のユーザから触覚入力及び／又は口頭入力を経て通勤情報を取得することができる。同様に、ユーザの電子カレンダーを管理するカレンダーモジュール４０５は、通勤情報を関連したカレンダー事象を取得する。１つの実施形態では、ユーザは、タッチ感知スクリーンも含むディスプレイスクリーン１６を使用することにより通勤情報及びカレンダー事象を入力することができる。１つの実施形態では、ユーザは、通勤情報及びカレンダー事象を装置１０（図２）のマイクロホンポート２２へ話すことができる。
【００４２】
ある実施形態では、通勤情報は、出発アドレス及び行先アドレスを含み、そしてカレンダー事象は、時刻エントリーと、曜日を特定するエントリーとを含む。他の実施形態では、カレンダー事象は、ミーティングの時刻、日付及び場所を含む。例えば、ユーザは、カレンダー事象として、カリフォルニア州クパチーノのアップル社インフィニットループ１における２００８年８月２８日午前９：００のミーティングを入力する。別の実施形態として、出発アドレスは、装置の現在位置として自動的に入力されてもよく、そして行先アドレスは、カレンダー事象の場所として自動的に入力されてもよい。装置４００は、その現在位置を決定するのに使用できるＧＰＳシステムを含んでもよい。
【００４３】
通勤時間モジュール４０６は、通勤情報に基づき、及び通信ネットワークインターフェイス４０２を経て得た現在トラフィック情報体に基づき、現在通勤時間を得る。例えば、１つの実施形態では、通勤時間は、現在の交通状態及び与えられた通勤情報に基づいて通勤時間を計算するウェブサイト又はインターネットアクセス可能なサービスのような輸送情報サービスプロバイダーから得ることができる。この実施形態では、通勤時間モジュール４０６は、インターネットを経て輸送情報サービスプロバイダーへ通勤情報を送信する。次いで、通勤時間モジュール４０６は、サービスプロバイダーから現在通勤時間を受け取る。
【００４４】
通勤時間モジュール４０６は、現在通勤時間を得ると、視覚及び／又は口頭出力を経て現在通勤時間を提示することをユーザインターフェイス４０１にシグナリングする。例えば、ユーザインターフェイス４０１は、現在通勤時間をディスプレイスクリーン１６に表示し、そして任意であるが、それと同時に、通勤を識別することにより（例えば、出発及び終了アドレスを表示することで）、視覚出力を与えることができる。又、ユーザインターフェイス４０１は、例えば、スピーカポート２４、或いはレシーバ又はイヤホンポート２３を使用して現在通勤時間を話すことにより口頭出力を発生することもできる。
【００４５】
１つの実施形態では、ユーザインターフェイス４０１は、ユーザが通勤時間モジュール４０６をコマンド時に手動でアクチベートして現在通勤時間を表示できるようにする「ワン・クリック」アイコンを表示する。このアイコンは、タッチスクリーン上のバーチャルボタンに関連している。
【００４６】
通勤時間アクチベータ４０７は、カレンダー事象の発生前にそれに基づいて通勤時間モジュール４０６をアクチベートする。例えば、ユーザが、所与の通勤に関連付けられるべきカレンダー事象として月曜日午前８：００を入力し、そして予想される通勤時間が約３０分である場合には、通勤時間アクチベータ４０７は、月曜日の午前７：００に通勤時間モジュール４０６をアクチベートするようにプログラムされる。このようにして、ユーザの出発アドレスから終了アドレスへ移動するのに必要な時間が、特定された時間より長い場合には、その付加的な移動時間がユーザに警告され、ユーザが出発時間を適宜に調整できるようにする。
【００４７】
１つの実施形態では、通勤時間モジュール４０６は、１つ以上のニュースフィードをダウンロードすることができ、その数又は合計聴取時間は、通勤時間に基づく。上述したように、ニュースフィードの数又は合計聴取時間は、通勤時間にほぼ等しいか又はそれより長く、長い通勤時間が報告される場合には、より多数のニュースフィードを装置４００へダウンロードすることができる。
【００４８】
別の実施形態では、カレンダー事象は、ユーザにより事前にセットされ、そしてユーザが誰と会うかの連絡先を識別する。この実施形態では、プログラムされた処理回路４０３は、更に、更新メッセージを連絡先に送信させることにより現在通勤時間に基づいてカレンダー事象をスケジュールし直すためのカレンダー事象レスケジューラーを具現化することができる。更新は、カレンダー事象の変更を指示し又は要求し、そしてＳＭＳテキストメッセージ、ｅ−メール、及び／又は電話の出呼びを介して連絡先へ送信される。
【００４９】
１つの実施形態において、プログラムされた処理回路４０３は、装置４００に記憶されたサウンドファイルを再生するためのデジタルメディアプレーヤを具現化する。この実施形態では、通勤時間モジュール４０６は、通勤時間が特定された時間より長い場合には、プレーヤにより再生するための第１の音楽選択を、或いは通勤時間が特定された時間より短い場合には、第２の異なる音楽選択を、選択する。例えば、得られる通勤時間に基づいて、ユーザが自身の通勤に乗り出すために必要な緊急性を音楽の形式に反映させることができる。
【００５０】
１つの実施形態では、プログラムされた処理回路４０３は、アラームクロックを具現化する。この実施形態では、ユーザによって事前にセットされたアラームクロックウェイクアップ時間を自動的に調整することができる。通勤時間モジュール４０６は、通勤時間が特定時間より長い場合にはウェイクアップ時間をより早い時間に自動的に変更し、ユーザが行先へ移動するための付加的な時間を与えることができる。
【００５１】
本発明の一実施形態は、上述したオペレーションの幾つか又は全部を遂行するようにプロセッサをプログラムするインストラクションが記憶されたマシン読み取り可能な媒体である。マシン読み取り可能な媒体は、マシン（例えば、コンピュータ）が読み取れる形態で情報を記憶又は送信するためのメカニズム、例えば、コンパクトディスクリードオンリメモリ（ＣＤ−ＲＯＭ）、リードオンリメモリ（ＲＯＭ）、ランダムアクセスメモリ（ＲＡＭ）、及び消去可能なプログラマブルリードオンリメモリ（ＥＰＲＯＭ）を含む。他の実施形態では、これらオペレーションの幾つかが、ハードワイヤードロジックを含む特定のハードウェアコンポーネントにより遂行される。これらのオペレーションは、プログラム可能なコンピュータコンポーネント及び固定ハードウェア回路コンポーネントの組み合わせにより遂行されてもよい。
【００５２】
以上、本発明を幾つかの実施形態について説明したが、当業者であれば、本発明は、上述した実施形態に限定されず、特許請求の範囲の精神及び範囲内で変更や修正がなされ得ることが理解されよう。従って、この説明は、単なる例示に過ぎず、何らそれに限定されるものではない。上述した本発明の異なる態様に対して多数の他の変形例もあるが、簡明化のために詳細に述べなかった。従って、それら他の実施形態も特許請求の範囲内に包含される。
【符号の説明】
【００５３】
１０：移動通信装置
１２：ハウジング
１４：ベゼル
１６：ディスプレイスクリーン
１９：ボタン
２２、２３、２４：開口
３４：記憶装置
３６：処理回路
３８：入力／出力装置
４０：ユーザ入力装置
４２：ディスプレイ・オーディオ装置
４４：ワイヤレス通信装置
４６：アクセサリ
４８：コンピューティング装置
４９：ワイヤレスネットワーク
４０１：ユーザインターフェイス
４０２：通信ネットワークインターフェイス
４０３：プログラムされた処理回路
４０４：マップモジュール
４０５：カレンダーモジュール
４０６：通勤時間モジュール
４０７：通勤時間アクチベータ
【図１】
2015079499.tif 000003
【図２】
2015079499.tif 000004
【図３】
2015079499.tif 000005
【図４】
2015079499.tif 000006
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
コンピュータによって実行される方法において、
電子装置によって、出発アドレス及び行先アドレスを含む通勤情報を受け取るステップと、
前記電子装置によって、前記通勤情報を記憶するステップと、
前記電子装置によって、事象に関連付けられた事象情報を受け取るステップと、
前記電子装置によって、前記記憶された通勤情報に関する前記事象情報を記憶するステップと、
前記事象情報に基づく時間において、前記記憶された通勤情報に基づく最新の通勤時間を決定するステップであって、前記最新の通勤時間を決定するステップが、
前記電子装置によって、ネットワークを介して、前記記憶された通勤情報を輸送情報サービスプロバイダーへ送信するステップと、
前記輸送情報サービスプロバイダーから、前記最新の通勤時間を受け取るステップと、
を含む前記ステップと、
前記電子装置によって、前記最新の通勤時間を表示するステップと、
を備えた方法。
【請求項２】
前記最新の通勤時間が特定時間より長い場合に、アラームウェイクアップ時間を調整するステップを更に備えた、請求項１に記載の方法。
【請求項３】
前記通勤時間が特定時間より長い場合には第１の音楽選択を、又は前記通勤時間が特定時間より短い場合には前記第１の音楽選択とは異なる第２の音楽選択を、選択するステップを更に備えた、請求項１に記載の方法。
【請求項４】
前記最新の通勤時間に基づいて少なくとも１つの第三者装置のアクチベーション時間を調節するステップを更に備えた、請求項１に記載の方法。
【請求項５】
前記第三者装置はコーヒーマシンである、請求項４に記載の方法。
【請求項６】
前記第三者装置は電子カレンダーであって、その電子カレンダーの前記アクチベーション時間を調整するステップが、
その電子カレンダーに記憶されたスケジュールに入れられたミーティングのスケジュールを再調整することを含み、そのスケジュールに入れられたミーティングは、選択人を含み、更に、
前記スケジュールの再調整に関して前記選択人に警告することを含む、
請求項４に記載の方法。
【請求項７】
ある数のニュースフィードをダウンロードするステップであって、そのニュースフィードの数は、前記最新の通勤時間に基づくステップを更に備える、請求項１に記載の方法。
【請求項８】
ニュースフィード及び／又は歌のプレイリストの収集体をダウンロードするステップを更に備え、そのニュースフィード及び／又は歌のプレイリストの収集体の時間巾は、前記通勤時間にほぼ等しいか又はそれより長い、請求項１に記載の方法。
【請求項９】
前記特定時間は、ユーザにより手動でセットされる、請求項２に記載の方法。
【請求項１０】
前記特定時間は、前記通勤時間の記憶されたインスタンスの履歴に基づいて自動的に計算される、請求項２に記載の方法。
【請求項１１】
請求項１〜１０のいずれか１項に記載の方法を前記電子装置に実行させるプログラム命令を記憶する、マシン読み取り可能記憶媒体。
【請求項１２】
通信ネットワークインターフェイスと、
ユーザインターフェイスと、
ディスプレイと、
処理回路と、
メモリであって、前記処理回路に、
前記ユーザインターフェイスを介して通勤情報を受け取らせ、
前記通勤情報を記憶させ、
前記ユーザインターフェイスを介して、事象に関連付けられた事象情報を取得させ、前記記憶された通勤情報に関する前記事象情報を記憶させる命令と、
事象情報に基づく時間において、前記記憶された通勤情報に基づく最新の通勤時間を決定させる命令であって、その最新の通勤時間を決定させる命令が、
前記通信ネットワークインターフェイスを介して、前記記憶された通勤情報を輸送情報サービスプロバイダーに送信し、
前記輸送情報サービスプロバイダーから、前記最新の通勤時間を受け取ること、
を含んでおり、さらに、
前記ディスプレイによって、前記最新の通勤時間を表示させる命令と、を記憶する前記メモリと、
を備える、電子装置。
【請求項１３】
前記通勤情報は、ユーザにより与えられる出発アドレス及び行先アドレスを含む、請求項１２に記載の電子装置。
【請求項１４】
前記事象情報が事象に関連付けられた連絡先のための連絡先情報を含み、かつ前記メモリが更に命令を記憶し、その命令が前記処理回路に、
前記最新の通勤時間に基づく前記事象をスケジュールし直させ、
前記事象の変更を指示する前記連絡先の更新を送信させる、命令を記憶する前記メモリを備える請求項１２に記載の電子装置。
【請求項１５】
前記メモリは、前記処理回路に、前記最新の通勤時間が所定時間より長い場合にアラームウェイクアップ時間を調整させる命令を、更に記憶する、請求項１２に記載の電子装置。
【請求項１６】
前記メモリは、前記処理回路に、前記通勤時間が所定時間より長い場合には第１の音楽選択を、又は前記通勤時間が所定時間より短い場合には前記第１の音楽選択とは異なる第２の音楽選択を、選択させる命令を更に記憶する、請求項１２に記載の電子装置。
【請求項１７】
前記メモリは、前記処理回路に、最新の通勤時間に基づいて少なくとも１つの第三者装置のアクチベーション時間を調節させる命令を更に記憶する、請求項１２に記載の電子装置。
【請求項１８】
前記第三者装置はコーヒーマシンである、請求項１７に記載の電子装置。
【請求項１９】
前記第三者装置は電子カレンダーであって、その電子カレンダーの前記アクチベーション時間を調整することが、
その電子カレンダーに記憶されたスケジュールに入れられたミーティングのスケジュールを再調整することを含み、そのスケジュールに入れられたミーティングは、選択人を含み、更に、
前記スケジュールの再調整に関して前記選択人に警告することを含む、
請求項１７に記載の電子装置。
【外国語明細書】
2015079499000001.pdf